(57)【特許請求の範囲】
【請求項１】
顕微鏡用照明装置において、
第１の色で発光する複数の第１ＬＥＤと、
第２の色で発光する複数の第２ＬＥＤと、
直流電流を供給可能な直流電源部と、
直流電源部の出力の各第１ＬＥＤへの供給を制御する第１のスイッチング素子と、
直流電源部の出力の各第２ＬＥＤへの供給を制御する第２のスイッチング素子と、
各スイッチング素子のオン／オフを切換えるパルス幅変調回路と、
各第１ＬＥＤ、各第２ＬＥＤ、各スイッチング素子及びパルス幅変調回路を収容する装置カバーと、
装置カバーに外部から操作可能に設けられた光量調整つまみとを備え、
前記パルス幅変調回路に、鋸歯状波信号または三角波信号を供給する信号供給源と、第１及び第２の比較器とを設け、
第１の比較器の出力に応じて第１のスイッチング素子のオン／オフが切換るとともに、第２の比較器の出力に応じて第２のスイッチング素子のオン／オフが切換るように構成し、
信号供給源の出力が第１の比較器の比較電位入力部及び第２の比較器の比較電位入力部のそれぞれに入力されるように構成し、
前記光量調整つまみによって、第１の比較器の基準電位入力部の電位と前記パルス幅変調回路内の所定位置の所定の基準電位との第１の電位差を増減可能に構成するとともに、光量調整つまみによって前記第１の電位差を増減すると第２の基準電位入力部の電位と前記所定の基準電位との第２の電位差も増減するように構成し、光量調整つまみを操作しても前記第１の電位差と前記第２の電位差との比率が変化しないように構成した
ことを特徴とする顕微鏡用照明装置。
【請求項２】
前記第１の比較器の基準電位入力部と前記所定位置との間に可変抵抗を備え、
可変抵抗を調整することにより前記第１の電位差と前記第２の電位差との比率が変化するように構成した
ことを特徴とする請求項１に記載の顕微鏡用照明装置。
【請求項３】
前記第１の電位差に対する第２の電位差の比率を調整可能な比率調整つまみを備え、
比率調整つまみを前記装置カバー内に配置した
ことを特徴とする請求項１または２に記載の顕微鏡用照明装置。
【請求項４】
前記各ＬＥＤが基板のリング状の部分に円周方向に２列に並ぶように実装され、径方向内側の列の各ＬＥＤの光軸と基板のリング状部分の軸方向とのなす角度と、径方向外側の列の各ＬＥＤの光軸と基板のリング状部分の軸方向とのなす角度とが、３°以上異なるように構成した
ことを特徴とする請求項１、２または３に記載の顕微鏡用照明装置。
【発明の詳細な説明】
【技術分野】
【０００１】
本発明は、実態顕微鏡等の光学顕微鏡に装着されて使用される顕微鏡用照明装置に関するものである。
【背景技術】
【０００２】
一般に、この種の顕微鏡用照明装置としては、蛍光灯を利用して観察対象物を照明するものが知られている（例えば、特許文献１参照。）。
【０００３】
また、他の顕微鏡用照明装置としては、省エネルギー化等のために、蛍光灯の代わりに複数の白色ＬＥＤを用いて観察対象物を照明するものが知られている（例えば、特許文献２参照。）。
【先行技術文献】
【特許文献】
【０００４】
【特許文献１】特開平１０−２７４５９１号公報
【特許文献２】特開２００６−０５８４０９号公報
【発明の概要】
【発明が解決しようとする課題】
【０００５】
ところで、前者の蛍光灯を用いた照明装置では、観察対象物に照射される白色の光の色温度が一定になるが、後者の白色ＬＥＤを用いた照明装置では、例えば青色ＬＥＤチップを蛍光体で覆うタイプの白色ＬＥＤを用いる場合、顕微鏡での観察時に各白色ＬＥＤに印加される電圧を調整して光量を増減させると、白色ＬＥＤから発射される光のうち青色ＬＥＤチップからの青色の波長の光と蛍光体からの黄色の波長の光との混合割合が変化するので、光量の増減（調光）によって各白色ＬＥＤから発射される光の色温度が変化するという問題点があった。
【０００６】
本発明は前記問題点に鑑みてなされたものであり、その目的とするところは、光量の増減を行っても色温度を安定させることのできるＬＥＤを用いた顕微鏡用照明装置を提供することにある。
【課題を解決するための手段】
【０００７】
本発明は前記目的を達成するために、顕微鏡用照明装置において、第１の色で発光する複数の第１ＬＥＤと、第２の色で発光する複数の第２ＬＥＤと、直流電流を供給可能な直流電源部と、直流電源部の出力の各第１ＬＥＤへの供給を制御する第１のスイッチング素子と、直流電源部の出力の各第２ＬＥＤへの供給を制御する第２のスイッチング素子と、各スイッチング素子のオン／オフを切換えるパルス幅変調回路と、各第１ＬＥＤ、各第２ＬＥＤ、各スイッチング素子及びパルス幅変調回路を収容する装置カバーと、装置カバーに外部から操作可能に設けられた光量調整つまみとを備え、前記パルス幅変調回路に、鋸歯状波信号または三角波信号を供給する信号供給源と、第１及び第２の比較器とを設け、第１の比較器の出力に応じて第１のスイッチング素子のオン／オフが切換るとともに、第２の比較器の出力に応じて第２のスイッチング素子のオン／オフが切換るように構成し、信号供給源の出力が第１の比較器の比較電位入力部及び第２の比較器の比較電位入力部のそれぞれに入力されるように構成し、前記光量調整つまみによって、第１の比較器の基準電位入力部の電位と前記パルス幅変調回路内の所定位置の所定の基準電位との第１の電位差を増減可能に構成するとともに、光量調整つまみによって前記第１の電位差を増減すると第２の基準電位入力部の電位と前記所定の基準電位との第２の電位差も増減するように構成し、光量調整つまみを操作しても前記第１の電位差と前記第２の電位差との比率が変化しないように構成している。
【０００８】
これにより、第１の色で発光する複数の第１ＬＥＤと、第２の色で発光する複数の第２ＬＥＤとを備え、直流電源部の出力の各ＬＥＤへの供給が各スイッチング素子によって制御され、各スイッチング素子のオン／オフを切換えるパルス幅変調回路を備え、パルス幅変調回路には鋸歯状波信号または三角波信号を供給する信号供給装源及び第１及び第２の比較器が設けられ、各比較器の出力信号に応じて各スイッチング素子のオン／オフが切換わるように構成され、信号供給源の出力が各比較器の比較電位入力部にそれぞれ入力されるように構成され、前記光量調整つまみによって、第１の比較器の基準電位入力部の電位と、前記パルス幅変調回路内の所定位置の所定の基準電位との第１の電位差を増減可能に構成するとともに、光量調整つまみによって前記第１の電位差を増減すると第２の基準電位入力部の電位と前記所定の基準電位との第２の電位差も増減するように構成されていることから、例えば鋸歯状波信号の下限及び上限が略＋０．５Ｖ及び＋２．５Ｖであり、前記所定の基準電位が０Ｖであり、光量調整つまみによって第１の電位差が２Ｖとなるとともに、第２の電位差が１Ｖとなるように設定され、直流電源部が２４Ｖの電力を供給するように構成されている場合は、各スイッチング素子のオン／オフがパルス幅変調（ＰＷＭ）制御され、第１及び第２のＬＥＤの側にパルス変調制御された２４Ｖの電圧が供給される。
【０００９】
また、信号供給源が鋸歯状波または三角波を供給するように構成され、光量調整つまみを操作しても前記第１の電位差と前記第２の電位差との比率が変化しないように構成されていることから、例えば光量調整つまみによって第１の電位差を１Ｖにした際は第２の電位差が０．５Ｖとなり、光量調整つまみによって各ＬＥＤからの発光量を変化させた場合でも、第１のＬＥＤの発光量の変化率と第２のＬＥＤの発光量の変化率が略等しくなる。このため、光量調整つまみによって各ＬＥＤからの発光量を変化させた場合でも各ＬＥＤから観察対象物に照射される光の色温度は変化しない。
【発明の効果】
【００１０】
本発明によれば、第１及び第２のＬＥＤの側にパルス幅変調制御された一定の大きさの電圧が供給されるので、例えば第１及び第２のＬＥＤのうち一方が青色ＬＥＤチップを蛍光体で覆うタイプの白色ＬＥＤである場合でも、各ＬＥＤの光量の増減の際に各ＬＥＤに印加される電圧が変化しないので、各ＬＥＤから発射される光において、青色ＬＥＤチップからの青色の波長の光と蛍光体からの黄色の波長の光との混合割合が変化することがなく、また、光量調整つまみによって各ＬＥＤからの発光量を変化させた場合でも、第１のＬＥＤの発光量の変化率と第２のＬＥＤの発光量の変化率が略等しくなる。即ち、光量の増減を行っても観察対象物に照射される光の色温度を安定させることができ、正確な観察を行う上で極めて有利である。
【図面の簡単な説明】
【００１１】
【図１】本発明の一実施形態の顕微鏡用照明装置の分解斜視図
【図２】実体顕微鏡に取付けられた顕微鏡用照明装置の断面図
【図３】顕微鏡用照明装置の平面図
【図４】図３におけるＡ−Ａ線断面図
【図５】顕微鏡用照明装置の回路図
【図６】鋸歯状波と、第１の比較器の出力及び第２の比較器の出力との関係を示すタイムチャート
【発明を実施するための形態】
【００１２】
本発明の第１実施形態の顕微鏡用照明装置を図１乃至図６を参照しながら説明する。
【００１３】
この顕微鏡用照明装置は、白色発光する複数の第１ＬＥＤ１０と、電球色で発光する複数の第２ＬＥＤ２０と、各ＬＥＤ１０，２０が円周方向に並ぶように実装された基板３０と、基板３０を保持する装置カバー４０と、基板３０に直流電流を供給する直流電源部としてのＡＣアダプター５０とを備え、例えば図２に示すように実体顕微鏡１に取付けられて観察対象物Ｗを照射するようになっている。
【００１４】
各第１ＬＥＤ１０は、発光部が青色ＬＥＤチップや紫外ＬＥＤチップを蛍光体で覆って成る周知の砲弾型の白色ＬＥＤである。また、各第２ＬＥＤ２０も周知の構造の砲弾型の電球色ＬＥＤである。
【００１５】
基板３０は、リング状部分３１と矩形状部分３２とを有する板状に形成され、リング状部分３１の一方の面には各ＬＥＤ１０，２０が実装されている。また、各ＬＥＤ１０，２０はリング状部分３１の一方の面上に周方向に２列に並ぶように実装され、内側の列は全て第１ＬＥＤ１０から成り、外側の列は第１ＬＥＤ１０及び第２ＬＥＤ２０から成り、図３に示すように、第２ＬＥＤ２０が２つおきに配置されている。尚、本実施形態では、内側の列が全て第１ＬＥＤ１０から成るものを示したが、内側の列を第１及び第２ＬＥＤ１０，２０から構成することも可能である。また、リング状部分３１に各ＬＥＤ１０，２０を１列だけ設けることも可能であり、３列以上に設けることも可能である。
【００１６】
装置カバー４０は基板３０及び各ＬＥＤ１０，２０を収容するように形成され、基板３０のリング状部分３１を収容するように形成されたリング状部分４１と、基板３０の矩形状部分３２を収容するように形成された矩形状部分４２とを有する。矩形状部分４２の側面には外部から操作可能なスイッチ４３及びダイヤル状の光量調整つまみ４４が設けられている。装置カバー４０は蓋４５を有し、蓋４５が複数のボルトＢによって装置カバー４０に着脱自在に取付けられるようになっている。また、蓋４５にはアクリル等から成るリング状透明カバー４５ａが取付けられ、リング状透明カバー４５ａが各ＬＥＤ１０，２０を覆い、各ＬＥＤ１０，２０からの光がリング状透明カバー４５ａを介して実体顕微鏡１の観察対象物Ｗに照射されるようになっている。
【００１７】
また、基板３０の矩形状部分３２には、ＡＣアダプター５０からの直流電流をパルス幅変調（ＰＷＭ）制御して各ＬＥＤ１０，２０に供給するためのパルス幅変調回路６０及び第１及び第２のスイッチング素子１０１，１０２が設けられ、パルス幅変調回路６０及び第１及び第２のスイッチング素子１０１，１０２は図５の回路図に示すように設けられている。
【００１８】
図５に示すように、ＡＣアダプター５０のプラス側端子からの一例として＋２４Ｖの入力がヒューズ６１を介して各第１ＬＥＤ１０の＋端側に入力されるとともに、各第２ＬＥＤ２０の＋端側にも入力され、さらにＩＣ６２の入力端子にも入力される。ＩＣ６２は入力端子からの＋２４Ｖの電圧を＋５Ｖに変圧して出力し、その出力は第１及び第２の可変抵抗ＶＲ１，ＶＲ２を介して第１の比較器７１の基準電位入力部７１ａに入力されるとともに、第１、第２及び第３の可変抵抗ＶＲ１，ＶＲ２，ＶＲ３を介して第２の比較器７２の基準電位入力部７２ａに入力される。第３の可変抵抗ＶＲ３は接地されており、また、接地側が前記スイッチ４３の一方の端子に接続されている。また、スイッチ４３の他方の端子は第２の可変抵抗ＶＲ２と第１の比較器７１の基準電位入力部７１ａとの間に接続されている。尚、各比較器７１，７２は周知のコンパレータから成る。
【００１９】
例えば、スイッチ４３がオン状態になっており、第１の可変抵抗ＶＲ１の値を１ｋΩに設定し、第２の可変抵抗が最大１ｋΩである場合は、第１の比較器７１の基準電位入力部７１ａには第２の可変抵抗ＶＲ２の調整に応じて０〜＋２．５Ｖが入力され、第２の比較器７２の基準電位入力部７２ａには第３の可変抵抗ＶＲ３の調整に応じて０〜＋２．５Ｖが入力される。また、第２の可変抵抗ＶＲ２は装置カバー４０に設けられている前記光量調整つまみ４４を操作することによって調整可能であり、第３の可変抵抗ＶＲ３は基板３０上に設けられた比率調整つまみ４６を操作することによって調整可能である。比率調整つまみ４６は装置カバー４０内に設けられ、装置カバー４０の蓋４５を外さない限りは操作できないようになっている。
【００２０】
また、パルス幅変調回路６０には鋸歯状波を供給する信号供給源としての鋸歯状波発生回路８０が設けられている。また、鋸歯状波発生回路８０から発生した鋸歯状波が第１及び第２の比較器７１，７２の比較電位入力部７１ｂ，７２ｂに入力されるようになっている。また、各比較器７１，７２は、基準電位入力部７１ａ，７２ａの入力電圧を超える電圧が比較電位入力部７１ｂ，７２ｂに入力されると、それぞれ出力端子７１ｃ，７２ｃから＋５Ｖの電圧が出力され、基準電位入力部７１ａ，７２ａの入力電圧以下の電圧が比較電位入力部７１ｂ，７２ｂに入力されると、それぞれ出力端子７１ｃ，７２ｃから０Ｖの電圧が出力されるようになっている。
【００２１】
第１の比較器７１の出力端子７１ｃの側には第１及び第２のトランジスタ９１，９２が設けられ、出力端子７１ｃから＋５Ｖの電圧が出力されると、第１のトランジスタ９１がオン状態になるとともに第２のトランジスタ９２がオフ状態となり、各トランジスタ９１，９２の出力側に接続された第１のスイッチング素子１０１がオン状態となる。一方、出力端子７１ｃから０Ｖの電圧が出力されると、第１のトランジスタ９１がオフ状態になるとともに第２のトランジスタ９２がオン状態となり、各トランジスタ９１，９２の出力側に接続された第１のスイッチング素子１０１がオフ状態となる。ここで、第１のスイッチング素子１０１は電界効果トランジスタやトランジスタから成り、各第１ＬＥＤ１０の−端側に接続されるとともに、接地されている。また、第１のスイッチング素子１０１がオン状態となると、各第１ＬＥＤ１０の−端側が接地されて各第１ＬＥＤ１０が点灯し、第１のスイッチング素子１０１がオフ状態になると、各第１ＬＥＤ１０が消灯するようになっている。
【００２２】
第２の比較器７２の出力端子７２ｃの側には第３及び第４のトランジスタ９３，９４が設けられ、出力端子７２ｃから＋５Ｖの電圧が出力されると、第３のトランジスタ９３がオン状態になるとともに第４のトランジスタ９４がオフ状態となり、各トランジスタ９３，９４の出力側に接続された第２のスイッチング素子１０２がオン状態となる。一方、出力端子７２ｃから０Ｖの電圧が出力されると、第３のトランジスタ９３がオフ状態になるとともに第４のトランジスタ９４がオン状態となり、各トランジスタ９３，９４の出力側に接続された第２のスイッチング素子１０２がオフ状態となる。ここで、第２のスイッチング素子１０２は電界効果トランジスタやトランジスタから成り、各第２ＬＥＤ２０の−端側に接続されるとともに、接地されている。また、第２のスイッチング素子１０２がオン状態となると、各第２ＬＥＤ２０の−端側が接地されて各第２ＬＥＤ２０が点灯し、第２のスイッチング素子１０２がオフ状態になると、各第２ＬＥＤ２０が消灯するようになっている。
【００２３】
ここで、鋸歯状波発生回路８０は、図６（ａ）に示すように、例えば０．５Ｖ〜＋２．５Ｖの鋸歯状波を発生するように構成されている。このため、例えば第２の可変抵抗ＶＲ２が抵抗率８０％に設定されており、第３の可変抵抗ＶＲ３が抵抗率５０％に設定されている場合は、第１の比較器７１の基準電位入力部７１ａの電位が２Ｖ程度になるとともに、第２の比較器７２の基準電位入力部７２ａの電位が１Ｖ程度となる。また、この際の各比較器７１，７２の出力は図６（ｂ）及び図６（ｃ）のようになり、第１の比較器７１からの出力が＋５Ｖの間だけ、各第１ＬＥＤ１０にＡＣアダプター５０からの２４Ｖの電圧が印加されて点灯し、第２の比較器７２からの出力が＋５Ｖの間だけ、各第２ＬＥＤ２０にＡＣアダプター５０からの２４Ｖの電圧が印加されて点灯する。即ち、各スイッチング素子１０１，１０２のオン／オフがパルス幅変調回路６０によって制御され、ＡＣアダプター５０からの直流電流がパルス幅変調（ＰＷＭ）制御されて各ＬＥＤ１０，２０に供給される。また、各第１ＬＥＤ１０の発光量と各第２ＬＥＤ２０の発光量との比率が第３の可変抵抗ＶＲ３によって設定される。
【００２４】
ここで、光量調整つまみ４４によって第２の可変抵抗ＶＲ２が抵抗率４０％に調整された場合でも、各第１ＬＥＤ１０の発光量と各第２ＬＥＤ２０の発光量との比率は第３の可変抵抗ＶＲ３によって設定されており、各第１ＬＥＤ１０の発光量と各第２ＬＥＤ２０の発光量との比率は第３の可変抵抗ＶＲ３を調整しない限りは変化しないので、第２の可変抵抗ＶＲ２を抵抗率８０％から４０％に変化させることにより、各第１ＬＥＤ１０の発光量が略半分になるとともに、各第２ＬＥＤ２０の発光量も略半分となる。
【００２５】
このように、本実施形態では、鋸歯状波発生回路８０が鋸歯状波を供給するように構成され、光量調整つまみ４４を操作しても、第３の可変抵抗ＶＲ３を調整しない限りは、第１の比較器７１の基準電位入力部７１ａの電位の接地電位に対する第１の電位差と、第２の比較器７２の基準電位入力部７２ａの電位の接地電位に対する第２の電位差との比率が変化しない。即ち、光量調整つまみ４４によって各ＬＥＤ１０，２０からの発光量を変化させた場合でも、第１のＬＥＤ１０の発光量の変化率と第２のＬＥＤ２０の発光量の変化率が略等しくなるので、光量調整つまみ４４によって各ＬＥＤ１０，２０からの発光量を変化させた場合でも各ＬＥＤ１０，２０から観察対象物Ｗに照射される光の色温度は変化しない。
【００２６】
ここで、第１ＬＥＤ１０として青色ＬＥＤチップや紫外ＬＥＤチップを蛍光体で覆うタイプの白色ＬＥＤを用いる場合、各白色ＬＥＤに印加される電圧を調整して光量を増減させると、白色ＬＥＤから発射される光のうち青色ＬＥＤチップからの青色の波長の光と蛍光体からの黄色の波長の光との混合割合が変化するので、光量の増減（調光）によって各白色ＬＥＤから発射される光の色温度が変化し、その色温度の変化（ばらつき）は数千ケルビンになることもあった。
【００２７】
これに対し、本実施形態では、第１及び第２のＬＥＤ１０，２０の側にパルス幅変調制御された一定の大きさの電圧が供給されるので、例えば各第１ＬＥＤ１０が青色ＬＥＤチップを蛍光体で覆うタイプの白色ＬＥＤである場合でも、各第１ＬＥＤ１０の光量の増減の際に各ＬＥＤ１０に印加される電圧が変化しないので、各第１ＬＥＤ１０から発射される光において、青色ＬＥＤチップからの青色の波長の光の増減が蛍光体からの黄色の波長の光の増減よりも速くなることがなく、また、光量調整つまみ４４によって各ＬＥＤ１０，２０からの発光量を変化させた場合でも、第１のＬＥＤ１０の発光量の変化率と第２のＬＥＤ２０の発光量の変化率が略等しくなるので、光量の増減を行っても観察対象物Ｗに照射される光の色温度を安定させることができ、正確な観察を行う上で極めて有利である。
【００２８】
さらに、第１ＬＥＤ１０として青色ＬＥＤチップや紫外ＬＥＤチップを蛍光体で覆うタイプの白色ＬＥＤを用いる場合は、蛍光体の厚みのばらつき等により白色ＬＥＤから発射される光の色温度にばらつきが生じ、第１ＬＥＤ１０として三原色ＬＥＤを使った白色ＬＥＤを用いる場合でも、各色のＬＥＤの発光量のバランスによって白色ＬＥＤから発射される光の色温度にばらつきが生じるので、光量の増減（調光）による各白色ＬＥＤから発射される光の色温度の変化はより大きくなる。
【００２９】
これに対し、本実施形態では、第１の比較器７１の基準電位入力部７１ａの電位の接地電位に対する第１の電位差と、第２の比較器７２の基準電位入力部７２ａの電位の接地電位に対する第２の電位差との比率を、比率調整つまみ４６を操作して第３の可変抵抗ＶＲ３の抵抗率を調整することにより調整可能であることから、製造上生ずる各第１ＬＥＤ１０の色温度のばらつきを調整することが可能となり、本照明装置を製造して出荷する際に比率調整つまみ４６を用いて調整を行うことにより、出荷された照明装置から照射される光の色温度を一定にすることができ、正確な観察を行う上で極めて有利である。
【００３０】
さらに、比率調整つまみ４６は装置カバー４０内に設けられ、装置カバー４０の蓋４５を外さない限りは操作できないようになっているので、比率調整つまみ４６が顕微鏡による観察対象物Ｗの観察中に容易に操作されることがなく、無用に色温度が変化することを防止可能である。ここで、色温度の調整には専用の色温度計を用いる必要があるが、色温度計は高価であり、また、色温度の調整は暗室において行われるとともに、特殊な技術が必要であることから、色温度の調整は照明装置を製造して出荷する際やメンテナンスの際に製造業者で行われることが好ましい。このため、比率調整つまみ４６が装置カバー４０内に設けられていることにより、各照明装置の色温度を製造業者が操作しない場所において一定に維持することが可能となり、常に安定した観察を行う上で極めて有利である。
【００３１】
また、各ＬＥＤ１０，２０が基板３０のリング状部分３１に円周方向に２列に並ぶように実装され、本実施形態では、図４に示すように、径方向内側の列の各ＬＥＤ１０の光軸と基板３０のリング状部分３１の軸方向とのなす角度αが２０°に設定され、径方向外側の列の各ＬＥＤ１０，２０の光軸と基板３０のリング状部分３１の軸方向とのなす角度βが１５°に設定されている。このため、照明装置は実体顕微鏡１のレンズとともに観察対象物Ｗに対して上下方向に移動するが、図４においてＴＷの範囲に観察対象物Ｗが配置されていれば、観察対象物Ｗを内側及び外側の列の各ＬＥＤ１０，２０によって確実に照明することができ、正確な観察を行う上で極めて有利である。尚、角度αと角度βとの差が３°以上１５°以下であれば、照明装置を観察対象物Ｗに対して上下方向に移動させた際でも、観察対象物Ｗを内側及び外側の列の各ＬＥＤ１０，２０によって確実に照明することができる。また、角度αと角度βとの差がその他の角度であっても、光量調整つまみ４４によって各ＬＥＤ１０，２０からの発光量を変化させた場合に、第１のＬＥＤ１０の発光量の変化率と第２のＬＥＤ２０の発光量の変化率が略等しくなるという効果は達成される。
【００３２】
尚、本実施形態では、各比較器７１，７２に鋸歯状波信号を供給するものを示したが、鋸歯状波の代わりに三角波信号を供給することも可能であり、この場合でも前述と同様の作用効果を達成可能である。
【００３３】
また、本実施形態では、図５において第３の可変抵抗ＶＲ３の下側の電圧が０Ｖであり、前記第１の電位差が第１の比較器７１の基準電位入力部７１ａの電位の接地電位に対する電位差となり、前記第２の電位差が第２の比較器７２の基準電位入力部７２ａの電位の接地電位に対する電位差となるものを示した。これに対し、図５において第３の可変抵抗ＶＲ３の下側の電圧が例えば＋０．５
Ｖ等である場合は、前記第１の電位差が第１の比較器７１の基準電位入力部７１ａの電位の＋０．５Ｖに対する電位差となり、前記第２の電位差が第２の比較器７２の基準電位入力部７２ａの電位の＋０．５Ｖに対する電位差となるが、この場合でも前述と同様の作用効果を達成可能である。
【符号の説明】
【００３４】
１…実体顕微鏡、１０…第１ＬＥＤ、２０…第２ＬＥＤ、３０…基板、３１…リング状部分、３２…矩形状部分、４０…装置カバー、４１…リング状部分、４２…矩形状部分、４３…スイッチ、４４…光量調整つまみ、４５…蓋、４６…比率調整つまみ、５０…ＡＣアダプター、６０…パルス幅変調回路、７１…第１の比較器、７２…第２の比較器、８０…鋸歯状波発生回路、１０１…第１のスイッチング素子、１０２…第２のスイッチング素子、Ｗ…観察対象物。
【図１】
0005486270.tif 000002
【図２】
0005486270.tif 000003
【図３】
0005486270.tif 000004
【図４】
0005486270.tif 000005
【図５】
0005486270.tif 000006
【図６】
0005486270.tif 000007